(57)【要約】【課題】サイトサーベイ用の装置の構成を簡単にするとともに、サイトサーベイを行うユーザの作業負担を低減し且つ作業時間を短縮することである。【解決手段】携帯機器１０は、サイトサーベイ対象の施設内に設置されたアクセスポイント４０から電波を受信し、当該受信した電波の状態情報を検出する無線通信部１６と、自機の加速度情報及び方位情報を検出し、当該加速度情報及び方位情報から自機を保持するユーザの位置情報を算出するモーションセンサ１９と、モーションセンサ１９により算出されたユーザの位置情報を、無線通信部１６により検出された電波の状態情報に対応付けてフラッシュメモリ１７に記憶するＣＰＵ１１と、を備える。【選択図】  図１
2015053726.tif 000002
【特許請求の範囲】
【請求項１】
サイトサーベイ対象の施設内に設置されたアクセスポイントから電波を受信し、当該受信した電波の状態情報を検出する電波状態検出部と、
自機の加速度情報及び方位情報を検出し、当該加速度情報及び方位情報から自機を保持するユーザの位置情報を算出するモーションセンサと、
前記モーションセンサにより算出されたユーザの位置情報を、前記電波状態検出部により検出された電波の状態情報に対応付けて記憶部に記憶する制御部と、
前記自機を保持するユーザの停止位置の近傍の位置に配置されたＲＦＩＤタグの識別情報を読み取る読取部と、を備え、
前記記憶部は、前記ＲＦＩＤタグの識別情報と当該ＲＦＩＤタグに対応する停止位置の位置情報とを対応付けて記憶し、
前記モーションセンサは、自機が停止している場合に、前記検出した加速度情報及び方位情報に応じて、自機を保持するユーザが停止している旨の停止情報を出力し、
前記制御部は、前記モーションセンサから出力された停止情報に応じて、前記ユーザが停止したか否かを判別し、当該ユーザが停止し、前記読取部により前記ＲＦＩＤタグの識別情報が読み取られた場合に、当該読み取られた識別情報に対応して前記記憶部に記憶されている位置情報を読み出し、当該読み出した位置情報で前記記憶部の電波の状態情報に対応付けられて記憶された位置情報を補正する携帯機器。
【請求項２】
報知を行う報知部を備え、
前記制御部は、前記位置情報を補正した場合に、当該位置情報を補正した旨を前記報知部に報知させる請求項１に記載の携帯機器。
【請求項３】
サイトサーベイの実行指示入力を受け付ける操作部を備え、
前記制御部は、前記操作部にサイトサーベイの実行指示が入力された場合に、前記ユーザの位置情報及び前記電波の状態情報の取得及び記憶を開始する請求項１または２に記載の携帯機器。
【請求項４】
コンピュータを、
サイトサーベイ対象の施設内に設置されたアクセスポイントから電波を受信し、当該受信した電波の状態情報を検出する電波状態検出部、
自機の加速度情報及び方位情報を検出し、当該加速度情報及び方位情報から自機を保持するユーザの位置情報を算出するモーションセンサ、
前記モーションセンサにより算出されたユーザの位置情報を、前記電波状態検出部により検出された電波の状態情報に対応付けて記憶部に記憶する制御部、
前記自機を保持するユーザの停止位置の近傍の位置に配置されたＲＦＩＤタグの識別情報を読み取る読取部、
として機能させるためのプログラムであって、
前記記憶部は、前記ＲＦＩＤタグの識別情報と当該ＲＦＩＤタグに対応する停止位置の位置情報とを対応付けて記憶し、
前記モーションセンサは、自機が停止している場合に、前記検出した加速度情報及び方位情報に応じて、自機を保持するユーザが停止している旨の停止情報を出力するように機能させ、
前記制御部は、前記モーションセンサから出力された停止情報に応じて、前記ユーザが停止したか否かを判別し、当該ユーザが停止し、前記読取部により前記ＲＦＩＤタグの識別情報が読み取られた場合に、当該読み取られた識別情報に対応して前記記憶部に記憶されている位置情報を読み出し、当該読み出した位置情報で前記記憶部の電波の状態情報に対応付けられて記憶された位置情報を補正するように機能させるためのプログラム。
【発明の詳細な説明】
【技術分野】
【０００１】
本発明は、携帯機器及びプログラムに関する。
【背景技術】
【０００２】
従来、無線ＬＡＮ（Local Area Network）を倉庫等の施設に導入する場合に、無線通信を中継するアクセスポイントを施設内に仮に設置してその電波環境を調べるサイトサーベイ（site survey）が知られている。サイトサーベイにより、電波環境が良くなる場所にアクセスポイントを設置することができる。
【０００３】
従来のサイトサーベイでは、調査員が特殊な装置（測定器）を用いて、当該装置の画面を見ながら操作を行い、複数の場所で電波環境を測定していた。
【０００４】
上記特殊な装置として、ディスプレイを有する小型端末と、アンテナと、角速度及び車速のセンサとを台車に搭載した無線ＬＡＮ自動サイトサーベイ装置が知られている（例えば、特許文献１参照）。サイトサーベイの測定領域に、台車を走行させながら電界強度及び角速度及び車速を測定し、測定情報に応じて二次元的な電界強度分布を得る。
【先行技術文献】
【特許文献】
【０００５】
【特許文献１】特開２００６−１２５９５１号公報
【発明の概要】
【発明が解決しようとする課題】
【０００６】
しかし、従来のサイトサーベイでは、専用の特殊な装置が必要であり、調査員が当該装置の画面を見ながら操作を行わねばならなく、作業負担が大きく、作業時間も長くかかっていた。
【０００７】
本発明の課題は、サイトサーベイ用の装置の構成を簡単にするとともに、サイトサーベイを行うユーザの作業負担を低減し且つ作業時間を短縮することである。
【課題を解決するための手段】
【０００８】
上記課題を解決するために、本発明の携帯機器は、サイトサーベイ対象の施設内に設置されたアクセスポイントから電波を受信し、当該受信した電波の状態情報を検出する電波状態検出部と、
自機の加速度情報及び方位情報を検出し、当該加速度情報及び方位情報から自機を保持するユーザの位置情報を算出するモーションセンサと、
前記モーションセンサにより算出されたユーザの位置情報を、前記電波状態検出部により検出された電波の状態情報に対応付けて記憶部に記憶する制御部と、
前記自機を保持するユーザの停止位置の近傍の位置に配置されたＲＦＩＤタグの識別情報を読み取る読取部と、を備え、
前記記憶部は、前記ＲＦＩＤタグの識別情報と当該ＲＦＩＤタグに対応する停止位置の位置情報とを対応付けて記憶し、
前記モーションセンサは、自機が停止している場合に、前記検出した加速度情報及び方位情報に応じて、自機を保持するユーザが停止している旨の停止情報を出力し、
前記制御部は、前記モーションセンサから出力された停止情報に応じて、前記ユーザが停止したか否かを判別し、当該ユーザが停止し、前記読取部により前記ＲＦＩＤタグの識別情報が読み取られた場合に、当該読み取られた識別情報に対応して前記記憶部に記憶されている位置情報を読み出し、当該読み出した位置情報で前記記憶部の電波の状態情報に対応付けられて記憶された位置情報を補正する。
【発明の効果】
【０００９】
本発明によれば、サイトサーベイ用の装置の構成を簡単にできるとともに、サイトサーベイを行うユーザの作業負担を低減でき且つ作業時間を短縮できる。
【図面の簡単な説明】
【００１０】
【図１】本発明の実施の形態の携帯機器の構成を示すブロック図である。
【図２】位置情報テーブルの構成を示す図である。
【図３】サイトサーベイを行う倉庫内の棚、アクセスポイント及びＲＦＩＤタグの配置を示す図である。
【図４】サイトサーベイ処理を示すフローチャートである。
【図５】サイトサーベイを行った倉庫内の電波強度のイメージを示す図である。
【発明を実施するための形態】
【００１１】
以下、添付図面を参照して本発明に係る実施の形態を詳細に説明する。なお、本発明は、図示例に限定されるものではない。
【００１２】
先ず、図１を参照して、本実施の形態の装置構成を説明する。図１に、本実施の形態の携帯機器１０の構成を示す。
【００１３】
図１に示すように、本実施の形態の携帯機器１０は、読み取り対象物としてのＲＦＩＤタグ３０の情報を読み取り管理するハンディターミナルである。ＲＦＩＤタグ３０は、例えば、倉庫や小売店等の施設に並べられた備品や商品に付されているものとする。
【００１４】
また、携帯機器１０は、施設に設置されるアクセスポイント４０と無線通信を行う通信機能を有する。また、携帯機器１０は、施設にアクセスポイント４０を正式に設置して運用する前のサイトサーベイを補助する機能を有する。本実施の形態では、携帯機器１０が、屋内の施設としての倉庫で使用され、倉庫内のサイトサーベイが行われる例を説明する。
【００１５】
本実施の形態では、サイトサーベイの対象が、屋内の施設としての倉庫であるため、サイトサーベイでの位置情報取得に、ＧＰＳ（Global Positioning System）による位置情報入力を適用することができない。よって、本実施の形態では、サイトサーベイでの位置情報取得に、モーションセンサ１９を用いた位置情報入力を行う。
【００１６】
ＲＦＩＤタグ３０は、電磁誘導方式のＲＦＩＤタグであるものとする。ＲＦＩＤタグ３０は、コイルアンテナを含む通信部と、制御部と、ＥＥＰＲＯＭ（Electrically Erasable Programmable Read Only Memory）と、を備える。ＲＦＩＤタグ３０において、制御部は、通信部により電磁界を介して携帯機器１０と無線通信を行い、受信した携帯機器１０からの読み取り要求に応じてＥＥＰＲＯＭに記憶されているデータを読み出して携帯機器１０に送信する。また、ＲＦＩＤタグ３０の制御部は、携帯機器１０から受信したデータをＥＥＰＲＯＭに書き込み又は書き換える。
【００１７】
ＲＦＩＤタグ３０のＥＥＰＲＯＭには、ＲＦＩＤタグ３０を識別する個体識別情報が記憶されているものとする。また、ＲＦＩＤタグ３０は、携帯機器１０からの電磁界により電力を得るパッシブ型のＲＦＩＤタグとするが、電源部を有し、電源部の電力により電磁界を出力するアクティブ型のＲＦＩＤタグとしてもよい。
【００１８】
アクセスポイント４０は、携帯機器１０と無線通信を行う。また、アクセスポイント４０は、有線ＬＡＮに接続され、この有線ＬＡＮ上の機器と通信を行う。アクセスポイント４０は、この有線ＬＡＮ上の機器と、携帯機器１０と、の通信を中継する機能を有する。
【００１９】
携帯機器１０は、ＣＰＵ（Central Processing Unit）１１と、操作部１２と、ＲＡＭ（Random Access Memory）１３と、表示部１４と、ＲＯＭ（Read Only Memory）１５と、無線通信部１６と、フラッシュメモリ１７と、ＲＦＩＤリーダライタ部１８と、モーションセンサ１９と、報知部２０と、電源部２１と、を備える。電源部２１を除く携帯機器１０の各部は、バス２２を介して互いに接続されている。
【００２０】
ＣＰＵ１１は、携帯機器１０の各部を制御する。ＣＰＵ１１は、各種プログラムのうち指定されたプログラムをＲＯＭ１５から読み出してＲＡＭ１３に展開し、展開されたプログラムとの協働で各種処理を実行する。
【００２１】
ＣＰＵ１１は、サイトサーベイプログラム１５１に従い、モーションセンサ１９により算出された携帯機器１０を保持するユーザの位置情報を、無線通信部１６により検出された電波の状態情報としての電波強度情報に対応付けてフラッシュメモリ１７に記憶する。そして、ＣＰＵ１１は、モーションセンサ１９から出力された停止情報に応じて、前記ユーザが停止したか否かを判別し、当該ユーザが停止し、ＲＦＩＤリーダライタ部１８によりＲＦＩＤタグ３０の個体識別情報が読み取られた場合に、当該個体識別情報に対応して位置情報テーブル５０の位置情報５２を読み出す。そして、ＣＰＵ１１は、読み出した位置情報５２でフラッシュメモリ１７の電波強度情報に対応付けられて記憶された位置情報を補正する。
【００２２】
操作部１２は、文字入力キー等の各種キーからなるキー群を備え、ユーザからの各キーの押下入力に応じた操作情報をＣＰＵ１１に出力する。
【００２３】
ＲＡＭ１３は、揮発性の半導体メモリであり、各種データ及び各種プログラムを格納するワークエリアを有する。
【００２４】
表示部１４は、ＬＣＤ（Liquid Crystal Display）、ＥＬ（ElectroLuminescent）ディスプレイ等の表示パネルを備える表示部であり、ＣＰＵ１１から入力される表示情報に応じて表示パネルに各種表示を行う。
【００２５】
ＲＯＭ１５は、各種データ及び各種プログラムを記憶する読み出し専用の半導体メモリである。ＲＯＭ１５には、サイトサーベイプログラム１５１が記憶されている。
【００２６】
無線通信部１６は、無線ＬＡＮ通信方式の無線通信部である。無線通信部１６は、アンテナ、変調部、復調部、信号処理部等を備え、アクセスポイント４０と無線通信を行う。無線通信部１６は、送信する情報の信号を、信号処理部で信号処理し、変調部により変調してアンテナから無線電波としてアクセスポイント４０に送信する。このアクセスポイント４０は、通信先の機器と有線ＬＡＮを介して接続されている。また、無線通信部１６は、アンテナによりアクセスポイント４０から受信した無線電波の受信信号を復調部により復調し、信号処理部で信号処理して受信情報を得る。このようにして、無線通信部１６は、アクセスポイント４０を介して、通信先の機器と通信を行う。
【００２７】
また、無線通信部１６は、アクセスポイント４０から受信した電波の状態情報である電波強度情報を検出してＣＰＵ１１に出力する。電波強度情報は、例えば、ＲＳＳＩ（Received Signal Strength Indication）値である。
【００２８】
フラッシュメモリ１７は、情報を読み出し及び書き込み可能に記憶する不揮発性の半導体メモリである。フラッシュメモリ１７には、後述する位置情報テーブル５０が記憶されている。
【００２９】
ＲＦＩＤリーダライタ部１８は、ＲＦＩＤタグ３０に記憶されている情報を読み取り及び書き込みする電磁誘導方式のリーダライタ部であるものとする。ＲＦＩＤリーダライタ部１８は、コイルアンテナ、変調部、復調部、信号処理部等を備える。ＲＦＩＤリーダライタ部１８は、ＣＰＵ１１から入力された送信データの電気信号を信号処理部により信号処理し、変調部により変調してコイルアンテナから電磁界として出力する。ＲＦＩＤタグ３０は、ＲＦＩＤリーダライタ部１８から出力された電磁界を介してデータを受信し、ＲＦＩＤリーダライタ部１８に送信するデータを電磁界を介して出力する。ＲＦＩＤリーダライタ部１８は、ＲＦＩＤタグ３０から出力された電磁界を介してコイルアンテナでデータを受信し、このデータの電気信号を復調部により復調して信号処理部により信号処理してデータを受信する。
【００３０】
モーションセンサ１９は、携帯機器１０の運動及び方位の情報を検知するセンサである。モーションセンサ１９は、加速度センサ１９１と、地軸センサ１９２と、制御部（ＣＰＵ）１９３と、を有する。加速度センサ１９１は、３次元空間の３軸方向の加速度を検出する３次元の加速度センサである。地軸センサ１９２は、地球上の方位を検出するセンサである。制御部１９３は、加速度センサ１９１により検出された３次元の加速度情報と、地軸センサ１９２により検出された方位情報とを用いて、携帯機器１０（を保持するユーザ）の水平面上の位置情報を算出してＣＰＵ１１に出力する。また、携帯機器１０（を保持するユーザ）が停止している場合に、制御部１９３は、加速度センサ１９１により検出された３次元の加速度情報と、地軸センサ１９２により検出された方位情報とに応じて、携帯機器１０（を保持するユーザ）が停止している旨の停止情報（例えば、０の信号）をＣＰＵ１１に出力する。
【００３１】
報知部２０は、ＣＰＵ１１の制御に応じて、振動を発生することによりユーザに報知するバイブレータである。なお、報知部２０は、ＣＰＵ１１の制御に応じて、音を発生することによりユーザに報知するブザー，スピーカー等の音響発生器でもよい。さらに、報知部２０は、バイブレータと音響発生器との両方を備えてもよい。
【００３２】
電源部２１は、リチウム電池等の二次電池であり、携帯機器１０の各部に電源供給を行う。なお、電源部２１は、アルカリ電池等の一次電池でもよい。
【００３３】
次に、図２及び図３を参照して、携帯機器１０に記憶される情報を説明する。図２に、位置情報テーブル５０の構成を示す。図３に、サイトサーベイを行う倉庫内の棚、アクセスポイント及びＲＦＩＤタグの配置を示す。
【００３４】
フラッシュメモリ１７には、図２に示す位置情報テーブル５０が記憶される。位置情報テーブル５０は、個体識別情報５１と、位置情報５２と、のフィールドを有する。個体識別情報５１は、サイトサーベイ時に施設内に位置補正の目的で予め配置されたＲＦＩＤタグ３０を識別する個体識別情報である。位置情報５２は、個体識別情報５１に対応するＲＦＩＤタグ３０の配置された施設内の位置に対応して、サイトサーベイ時にユーザが停止する停止位置の位置情報である。また、サイトサーベイの動線の終了地点に配置されたＲＦＩＤタグ３０の個体識別情報５１に対応する位置情報５２には、終了地点である旨の情報を含むものとする。
【００３５】
例えば、図３に示すように、棚６１，６２，６３が設置された屋内の施設としての倉庫内において、サイトサーベイを行う場合を説明する。倉庫内に、サイトサーベイ用の動線Ｌが設定される。動線Ｌは、スタート位置Ｐ０から終了位置Ｅまでの間の線分であり、サイトサーベイ時に携帯機器１０を保持するユーザが歩く経路となる。動線Ｌは、倉庫内の無線ＬＡＮ通信の運用後に、携帯機器１０を使用するユーザが通る通路を含むように設定されている。また、動線Ｌ上には、携帯機器１０を使用するユーザが右折又は左折する地点に、ユーザが停止する停止位置Ｐ１，Ｐ２，Ｐ３，Ｐ４，Ｐ５，Ｐ６が設定されている。
【００３６】
停止位置Ｐ１，Ｐ２，Ｐ３，Ｐ４，Ｐ５，Ｐ６、終了位置Ｅにそれぞれ対応する近傍の棚６１，６２，６３の位置に、ＲＦＩＤタグ３１，３２，３３，３４，３５，３６，３７が設置されている。ＲＦＩＤタグ３１，３２，３３，３４，３５，３６，３７は、ＲＦＩＤタグ３０と同様の装置である。
【００３７】
位置情報テーブル５０において、個体識別情報５１には、例えば、ＲＦＩＤタグ３１，３２，３３，３４，３５，３６，３７それぞれが記憶している個体識別情報が格納されている。また、位置情報５２には、例えば、停止位置Ｐ１，Ｐ２，Ｐ３，Ｐ４，Ｐ５，Ｐ６、終了位置Ｅの位置情報が格納されている。
【００３８】
また、倉庫内において、サイトサーベイのために、仮の台数（２台）のアクセスポイント４１，４２が仮の位置に設置されている。アクセスポイント４１，４２は、アクセスポイント４０と同様の装置である。サイトサーベイでは、仮設置されたアクセスポイント４１，４２からの電波状況が測定される。
【００３９】
次に、図４及び図５を参照して、携帯機器１０の動作を説明する。図４に、サイトサーベイ処理を示す。図５に、サイトサーベイを行った倉庫内の電波強度のイメージを示す。
【００４０】
図４に示すように、携帯機器１０でサイトサーベイ処理が実行される。サイトサーベイ処理の前に予め、サイトサーベイ対象の倉庫内に、ユーザが歩く動線上の停止位置近傍に少なくとも一つのＲＦＩＤタグ３０が配置され、仮の台数のアクセスポイント４０が仮の位置に設置されているものとする。アクセスポイント４０は、無線ＬＡＮの運用時に、倉庫内の携帯機器１０と電波環境の面で適切に無線ＬＡＮ通信が行われると予想される位置及び台数で設置される。
【００４１】
また、予め、サイトサーベイ処理中にユーザが歩く動線が倉庫内に設定されている。また、動線上で、スタート位置と、ＲＦＩＤタグ３０の近傍の停止位置及び終了位置と、が設定されている。例えば、図３に示すように、倉庫内に、アクセスポイント４１，４２が配置され、ＲＦＩＤタグ３１，３２，３３，３４，３５，３６，３７が仮設置され、動線Ｌ、スタート位置Ｐ０、停止位置Ｐ１，Ｐ２，Ｐ３，Ｐ４，Ｐ５，Ｐ６、終了位置Ｅが設定されている。
【００４２】
上記アクセスポイント４０及びＲＦＩＤタグ３０の設置後、携帯機器１０において、例えば、ユーザから操作部１２を介してサイトサーベイ処理の実行指示が入力されたことをトリガとして、ＣＰＵ１１は、ＲＯＭ１５から読み出されて適宜ＲＡＭ１３に展開されたサイトサーベイプログラム１５１との協働で、サイトサーベイ処理を実行する。
【００４３】
先ず、ＣＰＵ１１は、モーションセンサ１９から携帯機器１０を保持するユーザの位置情報又は停止情報を取得する（ステップＳ１１）。そして、ＣＰＵ１１は、無線通信部１６によりアクセスポイント４０から出力される無線信号の電波を受信し、無線通信部１６により検出された受信電波の強度に対応する電波強度情報を無線通信部１６から取得する（ステップＳ１２）。そして、ＣＰＵ１１は、ステップＳ１１，Ｓ１２で取得されたユーザ（携帯機器１０）の位置情報と電波強度情報とを対応付けてフラッシュメモリ１７に記憶する（ステップＳ１３）。
【００４４】
そして、ＣＰＵ１１は、ステップＳ１１でユーザ（携帯機器１０）の停止情報が取得されたか否かに応じて、ユーザ（携帯機器１０）が停止しているか否かを判別する（ステップＳ１４）。ユーザが停止していない場合（ステップＳ１４；ＮＯ）、ステップＳ１１に移行される。
【００４５】
ユーザが停止している場合（ステップＳ１４；ＹＥＳ）、ＣＰＵ１１は、ＲＦＩＤリーダライタ部１８に応答要求の電磁界を出力させ、ＲＦＩＤリーダライタ部１８を介してＲＦＩＤタグ３０から応答要求に対応する応答情報を受信する（ステップＳ１５）。応答情報には、ＲＦＩＤタグ３０の個体識別情報が含まれるものとする。そして、ＣＰＵ１１は、ステップＳ１５で応答情報を受信したか否かを判別する（ステップＳ１６）。
【００４６】
応答情報を受信していない場合（ステップＳ１６；ＮＯ）、ステップＳ１１に移行される。応答情報を受信した場合（ステップＳ１６；ＹＥＳ）、ＣＰＵ１１は、フラッシュメモリ１７に記憶されている位置情報テーブル５０を参照し、ステップＳ１５で受信した応答情報に含まれる個体識別情報５１に対応する位置情報５２を読み出し、読み出した位置情報５２に終了位置の旨の情報があるか否かにより、ユーザ（携帯機器１０）が終了位置Ｅにいるか否かを判別する（ステップＳ１７）。
【００４７】
ユーザが終了位置Ｅにいない場合（ステップＳ１７；ＮＯ）、ＣＰＵ１１は、ステップＳ１７で読み出した位置情報５２で、ステップＳ１３でフラッシュメモリ１７に記憶されている位置情報を補正する（ステップＳ１８）。そして、ＣＰＵ１１は、報知部２０にユーザへの位置情報の補正完了の旨を振動により報知させ（ステップＳ１９）、ステップＳ１４に移行される。報知部２０の振動により、動線上の停止位置で位置情報の補正が完了した旨をユーザに報知できる。なお、報知部２０は音によってユーザに報知するようにしてもよい。ユーザが終了位置Ｅにいる場合（ステップＳ１７；ＹＥＳ）、サイトサーベイ処理が終了する。
【００４８】
サイトサーベイ処理実行により測定結果として電波強度情報及び位置情報が得られフラッシュメモリ１７に記憶される。図５に示すように、例えば、図３に示す倉庫において、測定結果として、動線Ｌ上におけるアクセスポイント４１，４２から出力される無線電波の電波強度情報が得られる。スタート位置Ｐ０から終了位置Ｅまでの間で、アクセスポイント４１，４２の近傍で強い電波強度が得られている。電波強度は、アクセスポイント４１，４２に近付くほど、強い電波強度が得られている。
【００４９】
サイトサーベイ処理実行による測定結果は、動線Ｌ上の位置情報に対応する電波強度情報であるが、この電波強度情報に基づいて、段階的な電波強度毎の円状又は環状の領域７１，７２，７３，７４，７５，７６の存在が推定できる。領域７１，７２，７３は、ほぼアクセスポイント４１を中心としている。領域７４，７５，７６は、ほぼアクセスポイント４２を中心としている。また、領域７３，７５，７６の一部の領域が重なっている。領域７１，７４は、電波強度が高い領域である。領域７２，７５は、電波強度が中程度の領域である。領域７３，７６は、電波強度が低い領域である。また、領域７１，７２，７３，７４，７５，７６以外の領域７７は、電波強度がほぼ無いとみなせる領域である。
【００５０】
サイトサーベイ処理は、アクセスポイント４０の台数及び位置が変更されて繰り返し実行される。そして、サイトサーベイ処理により得られた良い電波環境となる台数のアクセスポイント４０が適切な位置に正式に設置され、無線ＬＡＮの運用が開始される。
【００５１】
以上、本実施の形態によれば、携帯機器１０は、モーションセンサ１９により算出された携帯機器１０を保持するユーザの位置情報を、無線通信部１６により検出された電波強度情報に対応付けてフラッシュメモリ１７に記憶する。このため、サイトサーベイ用の装置としての携帯機器１０の構成を簡単にできるとともに、サイトサーベイを行うユーザは、携帯機器１０を胸ポケットに入れたり、把持したりして動線上を歩行（及び停止）するだけでよく、ユーザの作業負担を低減でき且つ作業時間を短縮できる。
【００５２】
また、携帯機器１０は、モーションセンサ１９から出力された停止情報に応じて、ユーザが停止したか否かを判別し、当該ユーザが停止し、ＲＦＩＤリーダライタ部１８によりＲＦＩＤタグ３０の個体識別情報が読み取られた場合に、当該個体識別情報に対応して位置情報テーブル５０の位置情報５２をフラッシュメモリ１７から読み出す。そして、携帯機器１０は、読み出した位置情報５２でフラッシュメモリ１７の電波強度情報に対応付けられて記憶された位置情報を補正する。このため、補正による正確なユーザの位置情報を取得できる。
【００５３】
また、携帯機器１０は、位置情報を補正した場合に、位置情報を補正した旨を振動により報知部２０に報知させる。このため、ユーザが、停止位置で位置情報を補正した旨を容易且つ確実に認識できる。
【００５４】
また、携帯機器１０は、操作部１２を介して、サイトサーベイ処理の実行指示が入力されたことをトリガとして、スタート位置Ｐ０に対応して、ユーザの位置情報及び電波の強度情報の取得及び記憶を開始する。このため、スタート位置Ｐ０の位置情報の登録を容易に行うことができる。
【００５５】
以上の説明では、本発明に係るプログラムのコンピュータ読み取り可能な媒体としてＲＯＭ１５を使用した例を開示したが、この例に限定されない。
その他のコンピュータ読み取り可能な媒体として、フラッシュメモリ等の不揮発性メモリ、ＣＤ−ＲＯＭ等の可搬型記録媒体を適用することが可能である。
また、本発明に係るプログラムのデータを通信回線を介して提供する媒体として、キャリアウエーブ（搬送波）も本発明に適用される。
【００５６】
なお、上記実施の形態における記述は、本発明に係る携帯機器及びプログラムの一例であり、これに限定されるものではない。
【００５７】
上記実施の形態では、携帯機器１０がハンディターミナルである構成としたが、これに限定されるものではない。携帯機器１０としては、ＲＦＩＤの情報読み取り機能を有するＰＤＡ、携帯電話機、携帯パーソナルコンピュータ等、他の携帯機器を用いる構成としてもよい。
【００５８】
また、上記実施の形態では、ＲＦＩＤタグ３０に、ＲＦＩＤカード（非接触ＩＣカード）を含める。
【００５９】
また、上記実施の形態では、ＲＦＩＤタグ３０及びＲＦＩＤリーダライタ部１８が、電磁誘導方式のＲＦＩＤタグ及びＲＦＩＤリーダライタ部である構成を説明したが、これに限定されるものではない。ＲＦＩＤタグ３０及びＲＦＩＤリーダライタ部１８が、電波方式のＲＦＩＤタグ及びＲＦＩＤリーダライタ部である構成としてもよい。
【００６０】
また、上記実施の形態では、報知部２０が、位置情報の補正完了の旨を振動及び音の少なくとも一つにより報知するバイブレータである構成としたが、これに限定されるものではない。報知部２０は、位置情報の補正完了の旨を、音声出力、ＬＥＤ（Light Emitting Diode）の点灯、情報表示等によりユーザに報知する構成としてもよい。
【００６１】
また、上記実施の形態では、無線通信部１６が、電波の状態情報として電波強度情報を検出する構成としたが、これに限定されるものではない。電波の状態情報として、電波のＳＮＲ（Signal-Noise Ratio）等、他の電波の状態情報を検出する構成としてもよい。また、携帯機器が、サイトサーベイ中に、アクセスポイントから受信したアクセスポイントの識別情報をサートサーベイの測定結果（電波の状態情報、ユーザ（携帯機器）の位置情報）に加えてもよい。
【００６２】
また、上記実施の形態における携帯機器１０の各構成要素の細部構成及び細部動作に関しては、本発明の趣旨を逸脱することのない範囲で適宜変更可能であることは勿論である。
【００６３】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
サイトサーベイ対象の施設内に設置されたアクセスポイントから電波を受信し、当該受信した電波の状態情報を検出する電波状態検出部と、
自機の加速度情報及び方位情報を検出し、当該加速度情報及び方位情報から自機を保持するユーザの位置情報を算出するモーションセンサと、
前記モーションセンサにより算出されたユーザの位置情報を、前記電波状態検出部により検出された電波の状態情報に対応付けて記憶部に記憶する制御部と、を備える携帯機器。
＜請求項２＞
前記自機を保持するユーザの停止位置の近傍の位置に配置されたＲＦＩＤタグの識別情報を読み取る読取部を備え、
前記記憶部は、前記ＲＦＩＤタグの識別情報と当該ＲＦＩＤタグに対応する停止位置の位置情報とを対応付けて記憶し、
前記モーションセンサは、自機が停止している場合に、前記検出した加速度情報及び方位情報に応じて、自機を保持するユーザが停止している旨の停止情報を出力し、
前記制御部は、前記モーションセンサから出力された停止情報に応じて、前記ユーザが停止したか否かを判別し、当該ユーザが停止し、前記読取部により前記ＲＦＩＤタグの識別情報が読み取られた場合に、当該読み取られた識別情報に対応して前記記憶部に記憶されている位置情報を読み出し、当該読み出した位置情報で前記記憶部の電波の状態情報に対応付けられて記憶された位置情報を補正する請求項１に記載の携帯機器。
＜請求項３＞
報知を行う報知部を備え、
前記制御部は、前記位置情報を補正した場合に、当該位置情報を補正した旨を前記報知部に報知させる請求項２に記載の携帯機器。
＜請求項４＞
サイトサーベイの実行指示入力を受け付ける操作部を備え、
前記制御部は、前記操作部にサイトサーベイの実行指示が入力された場合に、前記ユーザの位置情報及び前記電波の状態情報の取得及び記憶を開始する請求項１から３のいずれか一項に記載の携帯機器。
＜請求項５＞
コンピュータを、
サイトサーベイ対象の施設内に設置されたアクセスポイントから電波を受信し、当該受信した電波の状態情報を検出する電波状態検出部、
自機の加速度情報及び方位情報を検出し、当該加速度情報及び方位情報から自機を保持するユーザの位置情報を算出するモーションセンサ、
前記モーションセンサにより算出されたユーザの位置情報を、前記電波状態検出部により検出された電波の状態情報に対応付けて記憶部に記憶する制御部、
として機能させるためのプログラム。
【符号の説明】
【００６４】
１０  携帯機器
１１  ＣＰＵ
１２  操作部
１３  ＲＡＭ
１４  表示部
１５  ＲＯＭ
１６  無線通信部
１７  フラッシュメモリ
１８  ＲＦＩＤリーダライタ部
１９  モーションセンサ
１９１  加速度センサ
１９２  地軸センサ
１９３  制御部
２０  報知部
２１  電源部
２２  バス
３０，３１，３２，３３，３４，３５，３６，３７  ＲＦＩＤタグ
４０，４１，４２  アクセスポイント
【図１】
2015053726.tif 000003
【図２】
2015053726.tif 000004
【図３】
2015053726.tif 000005
【図４】
2015053726.tif 000006
【図５】
2015053726.tif 000007
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
自己の位置情報を測定する測定手段を備えた携帯機器であって、
当該携帯機器が停止したか否かを判別する判別手段と、
前記判別手段で停止したことを判別した際に、近傍位置にある電子機器の識別情報を受信する受信手段と、
前記受信手段で受信した識別情報で特定される電子機器が存在する機器位置情報を取得する取得手段と、
前記取得手段で取得された機器位置情報に基づいて、前記測定手段で測定される位置情報の補正を行う補正手段と、
を具備したことを特徴とする携帯機器。
【請求項２】
自己の位置情報を測定する測定手段を備えた携帯機器であって、
当該携帯機器が停止した際に、何れかの電子機器が近傍位置にあるか否かを探索する探索手段と、
前記探索手段による探索で近傍位置に電子機器があれば、その電子機器の識別情報を受信する受信手段と、
前記受信手段で受信した識別情報で特定される電子機器が存在する機器位置情報を取得する取得手段と、
前記取得手段で取得された機器位置情報に基づいて、前記測定手段で測定される位置情報の補正を行う補正手段と、
を具備したことを特徴とする携帯機器。
【請求項３】
複数の電子機器の識別情報毎に、その識別情報の電子機器が存在する機器位置情報を記憶する記憶手段と、
を更に具備し、
前記取得手段は、前記記憶手段を参照することで、前記受信手段で受信した識別情報で特定される電気機器の機器位置情報を取得する、
ことを特徴とする請求項１又は２に記載の携帯機器。
【請求項４】
前記測定手段は、自機の加速度と方位とを検出することで、当該携帯機器の位置を測定し、
前記判別手段は、前記加速度の有無に基づいて当該携帯機器が停止したか否かを判別する、
ことを特徴とする請求項１〜３の何れかに記載の携帯機器。
【請求項５】
前記補正手段で補正を行った際は、自己位置の補正を行ったことを報知する報知手段と、
を更に具備したことを特徴とする請求項１〜４の何れかに記載の携帯機器。
【請求項６】
前記電波受信の受信強度を測定する強度測定手段と、
前記強度測定手段で測定した受信強度を、その受信強度を測定した際に前記測定手段で測定された位置情報と対応付けて記憶する強度情報記憶手段と、
を更に具備したことを特徴とする請求項１〜５の何れかに記載の携帯機器。
【請求項７】
自己の位置情報を測定する測定手段を備えた携帯機器のコンピュータを制御するための方法であって、
前記コンピュータを、
当該携帯機器が停止したか否かを判別する判別手段、
前記判別手段で停止したことを判別した際に、近傍位置にある電子機器の識別情報を受信する受信手段と、
前記受信手段で受信した識別情報で特定される電子機器が存在する機器位置情報を取得する取得手段、
前記取得手段で取得された機器位置情報に基づいて、前記測定手段で測定される位置情報の補正を行う補正手段、
として機能させるようにした位置補正方法。
【請求項８】
自己の位置情報を測定する測定手段を備えた携帯機器のコンピュータを制御するための方法であって、
前記コンピュータを、
当該携帯機器が停止した際に、何れかの電子機器が近傍位置にあるか否かを探索する探索手段、
前記探索手段による探索で近傍位置に電子機器があれば、その電子機器の識別情報を受信する受信手段、
前記受信手段で受信した識別情報で特定される電子機器が存在する機器位置情報を取得する取得手段、
前記取得手段で取得された機器位置情報に基づいて、前記測定手段で測定される位置情報の補正を行う補正手段、
として機能させるようにした位置補正方法。
【手続補正３】
【補正対象書類名】明細書
【補正対象項目名】０００１
【補正方法】変更
【補正の内容】
【０００１】
本発明は、携帯機器及び位置補正方法に関する。  
【手続補正４】
【補正対象書類名】明細書
【補正対象項目名】０００６
【補正方法】変更
【補正の内容】
【０００６】
しかし、従来のサイトサーベイでは、専用の特殊な装置が必要であり、調査員が当該装置の画面を見ながら操作を行わねばならなく、作業負担が大きく、作業時間も長くかかっていた。また、上記測定を行う携帯機器の各場所の位置を正確に取得しておく必要があった。
【手続補正５】
【補正対象書類名】明細書
【補正対象項目名】０００７
【補正方法】変更
【補正の内容】
【０００７】
本発明の課題は、携帯機器の位置を常に正確に把握できるようにすることである。  
【手続補正６】
【補正対象書類名】明細書
【補正対象項目名】０００８
【補正方法】変更
【補正の内容】
【０００８】
請求項１記載の発明は、自己の位置情報を測定する測定手段を備えた携帯機器であって、当該携帯機器が停止したか否かを判別する判別手段と、前記判別手段で停止したことを判別した際に、近傍位置にある電子機器の識別情報を受信する受信手段と、前記受信手段で受信した識別情報で特定される電子機器が存在する機器位置情報を取得する取得手段と、前記取得手段で取得された機器位置情報に基づいて、前記測定手段で測定される位置情報の補正を行う補正手段と、を具備したことを特徴とする。
請求項２記載の発明は、自己の位置情報を測定する測定手段を備えた携帯機器であって、当該携帯機器が停止した際に、何れかの電子機器が近傍位置にあるか否かを探索する探索手段と、前記探索手段による探索で近傍位置に電子機器があれば、その電子機器の識別情報を受信する受信手段と、前記受信手段で受信した識別情報で特定される電子機器が存在する機器位置情報を取得する取得手段と、前記取得手段で取得された機器位置情報に基づいて、前記測定手段で測定される位置情報の補正を行う補正手段と、を具備したことを特徴とする。
【手続補正７】
【補正対象書類名】明細書
【補正対象項目名】０００９
【補正方法】変更
【補正の内容】
【０００９】
本発明によれば、携帯機器の位置を常に正確に把握することができる。